(57)【要約】【課題】夏季等で室温が上昇した使用環境下で、間欠的な印刷を行っても、着色剤の析出を抑制してプラテンに十分に染み込ませることができる。また、その結果として、プラテンの表面に水性インクの乾燥物が堆積物になることを阻止できるので、後続の記録媒体が堆積物に接触することを防いで記録媒体が汚れてしまうことを防止できる。【解決手段】本発明のインクジェット式記録装置は、カチオン性の着色剤を含む水性インクを用い、かつプラテンが少なくとも水溶性有機溶剤と水中で酸性に解離する酸性化合物とを含浸させたするインク吸収材からなっている。さらに、含浸させる水溶性有機溶剤と酸性化合物が沸点が１５０℃以上および／または２５℃で固体の化合物からなる。【選択図】  図１
2005014422.tif 000002
【特許請求の範囲】
【請求項１】
カチオン性の着色剤を含む水性インクを用い、記録ヘッドをガイド軸に沿って移動して、記録ヘッドから水性インクを吐出させることで記録媒体に縁無し印刷を行う際に、記録媒体の縁の外側にはみ出した水性インクをプラテンに染み込ませるインクジェット式記録装置において、前記プラテンが少なくとも水溶性有機溶剤と水中で酸性に解離する酸性化合物とを含浸させたインク吸収材からなることを特徴とするインクジェット式記録装置。
【請求項２】
前記水溶性有機溶剤および酸性化合物が、沸点が１５０℃以上および／または２５℃で固体の化合物から選ばれることを特徴とする請求項１に記載のインクジェット式記録装置。
【請求項３】
カチオン性の着色剤を含む水性インクを用い、記録ヘッドをガイド軸に沿って移動して、記録ヘッドから水性インクを吐出させることで記録媒体に縁無し印刷を行う際に、記録媒体の縁の外側にはみ出した水性インクをプラテンに染み込ませるインクジェット記録方法において、前記プラテンがあらかじめ少なくとも水溶性有機溶剤と水中で酸性に解離する酸性化合物とを含浸させておくことを特徴とするインクジェット記録方法。
【請求項４】
あらかじめ含浸させておく前記水溶性有機溶剤および酸性化合物が、沸点が１５０℃以上および／または２５℃で固体の化合物から選ばれることを特徴とする請求項３に記載のインクジェット記録方法装置。
【発明の詳細な説明】
【０００１】
【発明の属する技術分野】
本発明はインクジェット式記録装置およびインクジェット記録方法に係り、特に記録ヘッドをガイド軸に沿って移動して、記録ヘッドから水性インクを吐出させることで記録媒体に縁無し印刷を行うインクジェット式記録装置およびインクジェット記録方法に関する。
【０００２】
【従来の技術】
記録媒体における前後左右それぞれの端縁の余白をゼロにして印刷できるインクジェット式記録装置が開示されている（例えば、特許文献１、特許文献２）。
【０００３】
この公報に開示された記録装置によると、キャリッジに搭載された記録ヘッドの走査範囲を、記録媒体における左右の両端縁より外側に外れる位置まで移動するように設定して印刷動作を実行するように構成されている。
【０００４】
このインクジェット式記録装置で印刷を行う際には、図５（Ａ）に示すように、記録媒体としての記録用紙１００が矢印Ａの副走査方向に搬送され、記録用紙１００の前縁１００Ａが記録ヘッド１０１の下方に到達したとき、キャリッジが矢印Ｂの主走査方向に沿って往復動するとともに、記録ヘッド１０１からインク１０２を吐出させて記録用紙１００への印刷を開始する。
【０００５】
この際、記録用紙１００における前縁１００Ａの余白をゼロにして印刷を行うために、記録用紙１００の前縁１００Ａから外側にインク１０２をはみ出させる。
【０００６】
この状態から記録用紙１００が矢印Ａの副走査方向に搬送されることにより、図５（Ｂ）の状態になると、記録用紙１００における側縁１００Ｂの余白をゼロにして印刷を行うために、矢印Ｂの主走査方向に沿うキャリッジの往復動距離を適宜調整することにより、記録用紙１００の側縁１００Ｂから外側にインク１０２をはみ出させる。
【０００７】
さらに、この状態から記録用紙１００が矢印Ａの副走査方向に搬送されることにより、図５（Ｃ）の状態になると、記録用紙１００における後縁１００Ｃの余白をゼロにして印刷を行うために、記録用紙１００の後縁１００Ｃから外側にインク１０２をはみ出させる。
【０００８】
【特許文献１】
特開平７−９７１２号公報
【特許文献２】
特開平８−１６９１５５号公報
【０００９】
【発明が解決しようとする課題】
ここで、記録用紙１００の前縁１００Ａ、側縁１００Ｂや後縁１００Ｃから外側にはみ出したインク１０２は、図６に示すプラテン１０４に染み込ませる。例えば特許文献１では、プラテン１０４にインク吸収体として多孔質セラミック等を用いることが示されている。従来は、この構成で縁無し印刷を行う際に水性インクを用いた場合、特に夏季等で室温が上昇した使用環境下で、間欠的な印刷をおこなうと印刷と乾燥が繰り返される結果、プラテン１０４上に吐出された水性インク１０２中の水分が蒸発して、着色剤分が析出することがある。
【００１０】
このため、図７に示すように水性インク１０２をプラテン１０４に十分に染み込ませることができない場合があり、図８に示すようにプラテン１０４の表面にインクおよびその乾燥物１０２が堆積物１０５として山盛りに成長する場合があった。
【００１１】
このように、プラテン１０４の表面に堆積物１０５が発生すると、次の記録用紙１００に印刷する際に、堆積物１０５に記録用紙１００の端面が接触して、記録用紙１００の端面が汚れてしまう。
【００１２】
本発明は、前述した問題点に鑑みてなされたものであり、その目的は、記録媒体の端縁から外側にはみ出したインクをプラテンに十分に染み込ませることができる水性インクを用いたインクジェット式記録装置およびインクジェット記録方法を提供することにある。
【００１３】
【課題を解決するための手段】
前述した目的を達成するために、本発明のインクジェット式記録装置は、請求項１に記載したように、カチオン性の着色剤を含む水性インクを用い、記録ヘッドをガイド軸に沿って移動して、記録ヘッドから水性インクを吐出させることで記録媒体に縁無し印刷を行う際に、記録媒体の縁の外側にはみ出した水性インクをプラテンに染み込ませるインクジェット式記録装置において、前記プラテンが少なくとも水溶性有機溶剤と水中で酸性に解離する酸性化合物とを含浸させたするインク吸収材からなることを特徴としている。
【００１４】
また、本発明のインクジェット式記録方法は、カチオン性の着色剤を含む水性インクを用い、記録ヘッドをガイド軸に沿って移動して、記録ヘッドから水性インクを吐出させることで記録媒体に縁無し印刷を行う際に、記録媒体の縁の外側にはみ出した水性インクをプラテンに染み込ませるインクジェット式記録方法において、前記プラテンがあらかじめ少なくとも水溶性有機溶剤と水中で酸性に解離する酸性化合物とを含浸させておくことを特徴としている。
【００１５】
カチオン性の着色剤を含む水性インクを用い、かつプラテンが少なくとも水溶性有機溶剤と水中で酸性に解離する酸性化合物とを含浸させたするインク吸収材からなることにより、記録媒体の縁の外側に印刷された水性インクを、乾燥が進んで増粘する前に素早く吸収剤内部に染み込ませるできる。さらに、水溶性有機溶剤と酸性化合物が沸点が１５０℃以上および／または２５℃で固体の化合物から選ばれることで、印刷装置の使用環境下で実質的に蒸散せず、よって、特に夏季等で室温が上昇した使用環境下で、間欠的な印刷を行っても、着色剤の析出を抑制してプラテンに十分に染み込ませることができる。その結果として、プラテンの表面に水性インクの乾燥物が堆積物になることを阻止できるので、後続の記録媒体が堆積物に接触することを防いで記録媒体が汚れてしまうことを防止できる。
【００１６】
一方、本発明のインクジェット記録方法は、請求項３に記載したように、カチオン性の着色剤を含む水性インクを用い、記録ヘッドをガイド軸に沿って移動して、記録ヘッドから水性インクを吐出させることで記録媒体に縁無し印刷を行う際に、記録媒体の縁の外側にはみ出した水性インクをプラテンに染み込ませるインクジェット記録方法において、あらかじめプラテンに少なくとも水溶性有機溶剤と水中で酸性に解離する酸性化合物とを含浸させていることを特徴としている。
【００１７】
あらかじめ水溶性有機溶剤と水中で酸性に解離する酸性化合物とを含浸させていることで、印刷初期から記録媒体の縁の外側に印刷された水性インクを、素早く吸収剤内部に染み込ませるできる。さらに、水溶性有機溶剤と酸性化合物が沸点が１５０℃以上および／または２５℃で固体の化合物から選ばれることで、印刷装置の使用環境下で実質的に蒸散せず、よって、特に夏季等で室温が上昇した使用環境下で、間欠的な印刷を行っても、着色剤の析出を抑制してプラテンに十分に染み込ませることができる。その結果として、プラテンの表面に水性インクの乾燥物が堆積物になることを阻止できるので、後続の記録媒体が堆積物に接触することを防いで記録媒体が汚れてしまうことを防止できる。
【００１８】
【発明の実施の形態】
以下、本発明に係る実施形態を図面に基づいて詳細に説明する。なお、以下に説明する各実施形態において、既に図で説明した部材等については、図中に同一符号あるいは相当符号を付すことにより説明を簡略化あるいは省略する。
【００１９】
図１および図２に示すように、本発明に係る水性インクを用いたインクジェット式記録装置１０は、記録ヘッド１１をガイド軸１２に沿って矢印Ｂの主走査方向に移動して、記録ヘッド１１からインクを吐出させることで記録用紙（記録媒体）１３に縁無し印刷を行う際に、記録用紙１３の外側にはみ出したインク１４をプラテン１５に染み込ませるように構成されている。
【００２０】
記録ヘッド１１にはキャリッジ１６が設けられ、このキャリッジ１６がガイド軸１２に移動自在に支持されている。これにより、記録ヘッド１１をガイド軸１２に沿って矢印Ｂの主走査方向に走査することができる。
【００２１】
インクとしては、カチオン性の着色剤を用いることができ、着色剤としてはカチオン染料あるいはカチオンを含む水溶性樹脂で分散された顔料、カチオン性官能基をその表面に直接化学結合で結合した自己分散型顔料のいずれも用いることができる。
【００２２】
キャリッジ１６にはブラックインクカートリッジ１７やカラーインクカートリッジ１８が着脱自在に装填されている。ブラックインクカートリッジ１７の先端は記録ヘッド１１のノズル１１Ａに連通されている。
【００２３】
また、カラーインクカートリッジ１８にはシアンのカートリッジ１８Ａ、マゼンタのカートリッジ１８Ｂおよびイエローのカートリッジ１８Ｃが備えられ、それぞれのカートリッジ１８Ａ、１８Ｂ、１８Ｃの先端は記録ヘッド１１の各ノズル１１Ｂ、１１Ｃ、１１Ｄに連通されている。
【００２４】
ガイド軸１２の下方には、プラテン１５がガイド軸１２に平行に配置されている。プラテン１５は、一例として発泡性樹脂が該当するが、布、綿やスポンジ等のその他の材料を使用することも可能である。
【００２５】
このプラテン１５には、一方の端部１５Ａから他方の端部１５Ｂに渡って全域に、沸点が１５０℃以上および／または２５℃で固体の水溶性有機溶剤と酸性化合物が含浸されている。
【００２６】
沸点が１５０℃以上の水溶性有機溶剤としては、水溶性で吸湿性の高い化合物として、グリセリン、エチレングリコール、ジエチレングリコール、トリエチレングリコール、テトラエチレングリコール、ポリエチレングリコール、プロピレングリコール、ジプロピレングリコール、ポリプロピレングリコール、ポリエチレングリコール−ポリプロピレングリコール共重合体、１，３−プロパンジオール、１，４−ブタンジオール、１，５−ペンタンジオール、１，２，６−ヘキサントリオール、ヘキシレングリコール、オクチレングリコール、ペンタエリスリトール等のポリオール類、２−ピロリドン、Ｎ−メチル−２−ピロリドン等のラクラム類、１，３−ジメチルイミダゾリジノン類等の尿素類を用いることができる。
【００２７】
また、水溶性でインク吸収剤へのインク浸透性を早める化合物として、１，２−アルキルジオール類あるいは多価アルコールのグリコールモノエーテル誘導体から選択することもできる。１，２−アルキルジオール類としては、ブタンジオール、ペンタンジオール、ヘキサンジオール、ヘプタンジオール、オクタンジオール等の炭素数が４〜８の１，２−アルキルジオールが好ましい。多価アルコールの誘導体として、エチレングリコールモノブチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノ−ｎ−ブチルエーテル、ジエチレングリコールモノ−ｔ−ブチルエーテル、１−メチル−１−メトキシブタノール、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、ジプロピレングリコールモノ−ｉｓｏ−プロピルエーテル等が挙げられる
さらに、水溶性でインク吸収剤へのインク浸透性を早める化合物の助剤として、ノニオン性あるいはカチオン性の界面活性剤を追加して含浸させることも可能である。界面活性剤としては、ポリオキシエチレンアルキルエーテル、ポリオキシエチレンフェニルエーテル、サーフィノール系界面活性剤（商品名、エアープロダクツアンドケミカルズ社製）、アセチレノール系界面活性剤（商品名、川研ファインケミカル株式会社製）等のアセチレングリコール系、シリコン界面活性剤等のノニオン性界面活性剤、アルキルアンモニウムハロゲン化物、ＥＯ−ＰＯ付加アンモニウムハロケン化物等のカチオン性界面活性剤を加えることも好ましい。
【００２８】
室温では固体であるが、水溶性が極めて高く、上述の水溶性有機溶剤と同等にインクに添加可能な化合物も、含浸含させることができる。好ましい化合物としては、１，６−ヘキサンジオール、１，８−オクタンジオール等のジオール類、トリメチロールエタン、トリメチロールプロパン等、ε−カプロラクタム等のラクタム類、尿素、チオ尿素、エチレン尿素等の尿素誘導体、グルコース、マンノース、フルクトース、リボース、キシロース、アラビノース、ガラクトース、アルドン酸、グルシトール、（ソルビット）、マルトース、セロビオース、ラクトース、スクロース、トレハロース、マルトトリオース等の単糖類、二糖類、オリゴ糖類および多糖類およびこれらの糖類の誘導体としては、前記した糖類の還元糖、酸化糖、アミノ酸、チオ糖などが挙げられる。特に糖アルコールが好ましく、具体例としてはマルチトール、ソルビットなどが挙げられる。
【００２９】
水中で酸性に解離する酸性化合物は、沸点が１５０℃以上および／または２５℃で固体の化合物から選ばれる。好ましい化合物として、乳酸、グリコール酸、クエン酸、酒石酸、グリセリン酸、ｐ−ヒドロキシ安息香酸、グリセロリン酸等の分子中にカルボン酸基を有する有機酸、あるいは、硫酸、リン酸等の不揮発性の鉱酸、硫酸水素ナトリウム、硫酸水素カリウム等の酸性塩等が挙げられる。
【００３０】
水溶性有機溶剤と酸性化合物は、室温で液体のものはそのまま、あるいは２種以上を混合してプラテン１５部分のインク吸収材に塗布・含浸させることができる。室温で固体の化合物は、融点以上まで加熱溶融させた状態あるいは水や他の水溶性有機溶剤と混合した状態のどちらの形態でも、共にプラテン１５へ含浸させることができる。水溶液の状態で塗布した場合は、印刷装置にインク吸収材を装着する前に乾燥して水分のみ除去する方法、水分を除去せず放置して使用者が使用するまでの放置期間に自然蒸発させる、いずれの方法を用いることもできる。また、二種類以上を混合して用いる場合、その混合比率はプラテン１５への含浸作業性・用いる水性インク種類等に応じて適宜決定されてよい。
【００３１】
水溶性有機溶剤と酸性化合物の比率は、用いる水性インク種類等に応じて適宜決定されてよいが、酸性物質のインクジェット式記録装置への酸腐食の影響を抑えるために、酸性化合物が１０％以下で添加されることが好ましい。また、酸性化合物は、０．１％以上添加することで、カチオン性の着色剤を含むインクの堆積を防止して、インク吸収材に染み込ませることができる。
【００３２】
このカチオン性の着色剤を含むインクを用いたインクジェット式記録装置１０によれば、キャリッジ１６をガイド軸１２に沿って矢印Ｂの主走査方向に移動させることにより、記録ヘッド１１をガイド軸１２に沿って走査し、併せて記録用紙１３を記録ヘッド１１の走査方向に直交する副走査方向（矢印Ａ）へ紙送りする際に、それぞれのカートリッジ１７、１８Ａ〜１８Ｃから各ノズル１１Ａ〜１１Ｂを介してインクを吐出することにより記録用紙１３に印刷を行うことができる。
【００３３】
次に、カチオン性の着色剤を含むインクを用いたインクジェット式記録装置１０のインクジェット記録方法を図２〜図４に基づいて説明する。
【００３４】
カチオン性の着色剤を含むインクを用いたインクジェット式記録装置１０で印刷を行う際には、図２（Ａ）に示すように、矢印Ａの副走査方向に搬送されて記録用紙１３の先端１３Ａが記録ヘッド１１の下方に到達したとき、キャリッジが矢印Ｂの主走査方向に沿って往復動するとともに、記録ヘッド１１から水性インク１４を吐出させて記録用紙１３への印刷を開始する。この際、記録用紙１３における前縁１３Ａの余白をゼロにして印刷を行うために、記録用紙１３の前縁１３Ａから外側に水性インク１４をはみ出させる。
この状態から記録用紙１３が矢印Ａの副走査方向に搬送されることにより、図２（Ｂ）の状態になると、記録用紙１３における側縁１３Ｂの余白をゼロにして印刷を行うために、矢印Ｂの主走査方向に沿うキャリッジの往復動距離を適宜調整することにより、記録用紙１３の側縁１３Ｂから外側に水性インクをはみ出させる。
【００３５】
さらに、この状態から記録用紙１３が矢印Ａの副走査方向に搬送されることにより、図２（Ｃ）の状態になると、記録用紙１３における後縁１３Ｃの余白をゼロにして印刷を行うために、記録用紙１３の後縁１３Ｃから外側に水性インク１４をはみ出させる（図３参照）。
【００３６】
ここで、記録用紙１３の前縁１３Ａ、側縁１３Ｂや後縁１３Ｃから外側にはみ出した水性インク１４は、図３に示すプラテン１５に染み込ませる。プラテン１５には、一方の端部１５Ａから他方の端部１５Ｂに渡って全域に水溶性有機溶剤と水中で酸性に解離する酸性化合物とを含浸されている。
【００３７】
このため、図４に示すように、記録用紙１３の前縁１３Ａ、側縁１３Ｂや後縁１３Ｃから外側にはみ出した水性インク１４をプラテン１５に効率よく染み込ませることができる。よって、水性インクを用いたインクジェット式記録装置１０の使用環境が、特に夏季等で室温が上昇した場合等でも、乾燥が進んで増粘する前に素早く吸収剤内部に染み込ませるできる。さらに、印刷装置の使用環境下で実質的に蒸散せず、よって、特に夏季等で室温が上昇した使用環境下で、間欠的な印刷を行っても、着色剤の析出を抑制してプラテンに十分に染み込ませることができる。その結果として、プラテンの表面に水性インクの乾燥物が堆積物１０５になることを阻止できるので、後続の記録媒体が堆積物１０５に接触することを防いで記録媒体が汚れてしまうことを防止できる。
【００３８】
また、プラテン１５には、一方の端部１５Ａから他方の端部１５Ｂに渡って全域に水溶性有機溶剤と水中で酸性に解離する酸性化合物とを含浸を含浸させている。このため、記録用紙１３の前縁１３Ａ、側縁１３Ｂや後縁１３Ｃからプラテン１５に染み込んだ水性インクを、プラテン１５の一方の端部１５Ａから他方の端部１５Ｂの全域に染み込ませることができる。従って、プラテン１５に多量の水性インクを染み込ませることができるので、プラテン１５を交換するサイクルを延ばすことができる。
【００３９】
なお、前記実施形態では、記録媒体として記録用紙１３を例に説明したが、これに限らないで、その他の記録媒体に適用することも可能である。
さらに、本発明は、前述した実施形態に限定されるものでなく、適宜な変形，改良等が可能であり、前述した実施形態において例示した記録ヘッド，ガイド軸およびプラテン等の材質，形状，寸法，形態，数，配置個所，厚さ寸法等は本発明を達成できるものであれば任意であり、限定されない。
【００４０】
次に、実施例１〜６と比較例１〜２について説明する。
【００４１】
実施例１〜６および比較例１〜２のプラテン１５として、ウレタンフォームの発泡材を使用した。
【００４２】
実施例１、２および比較例１の水性インクとして、カチオン性の着色剤としてカチオン染料を用いた水性インクを使用した。また、実施例３〜６および比較例２の水性インクは、カチオン性の着色剤としてカチオンを含む水溶性樹脂で分散された顔料を用いた水性インクを使用した。各々の実施例、比較例について、ブラックインクカートリッジ１７にブラック水性インク、シアンのカートリッジ１８Ａにシアン水性インク、マゼンタのカートリッジ１８Ｂにマゼンタ水性インク、イエローのカートリッジ１８Ｃにイエロー水性インクをそれぞれ充填した。
【００４３】
カチオン性の着色剤としてカチオン染料を用いた水性インクは、ブラック染料インクとして、カチオン染料のＣ．Ｉ．Ｂａｓｉｃ  Ｂｌａｃｋ  ２  ６ｗｔ％、グリセリン  １５ｗｔ％、２−ピロリドン  ３ｗｔ％、トリエチレングリコール  ５ｗｔ％、トリエチレングリコールモノブチルエーテル  １０ｗｔ％、アセチレングリコール系界面活性剤としてサーフィノール４６５（商品名、エアープロダクツアンドケミカルズ社製）  １．０ｗｔ％、乳酸  ０．２ｗｔ％、残りを純水とすることで１００ｗｔ％としたものを使用した。
【００４４】
シアン染料インクとして、カチオン染料のＣ．Ｉ．Ｂａｓｉｃ  Ｂｌｕｅ  ２１  ３ｗｔ％を用いる以外は、ブラック染料インクと同様にインクを調整した。
【００４５】
マゼンタ染料インクとして、カチオン染料のＣ．Ｉ．Ｂａｓｉｃ  Ｒｅｄ  １３  ４ｗｔ％を用いる以外は、ブラック染料インクと同様にインクを調整した。
【００４６】
イエロー染料インクとして、カチオン染料のＣ．Ｉ．Ｂａｓｉｃ  Ｙｅｌｌｏｗ  ３６  ４ｗｔ％を用いる以外は、ブラック染料インクと同様にインクを調整した。
【００４７】
カチオン性の着色剤としてカチオンを含む水溶性樹脂で分散された水性インクは、ブラック顔料インクとして、カチオンを含む樹脂として４−ビニルピリジン（１０ｍｏｌ％）−スチレン（５０ｍｏｌ％）−アクリル酸ブチル（４０ｍｏｌ％）共重合体−塩酸塩／Ｍｗ２５，０００  １．５ｗｔ％、ブラック顔料としてカーボンブラックＭＡ１００（商品名、三菱化学株式会社製）  ７ｗｔ％、ｐＨ調整剤として１Ｎ塩酸でｐＨ５．６に調整して分散した顔料分散液に、グリセリン  ８ｗｔ％、２−ピロリドン  ３ｗｔ％、トリメチロールプロパン  ８ｗｔ％、１，２−ヘキサンジオール  ２ｗｔ％、リエチレングリコールモノブチルエーテル  ２ｗｔ％、アセチレングリコール系界面活性剤としてサーフィノール１０４（商品名、エアープロダクツアンドケミカルズ社製）  ０．３ｗｔ％、乳酸  ０．２ｗｔ％、残りを純水とすることで１００ｗｔ％としたものを使用した。
【００４８】
シアン顔料インクとして、カチオンを含む樹脂として、４−ビニルピリジン（１０ｍｏｌ％）−スチレン（５０ｍｏｌ％）−アクリル酸ブチル（４０ｍｏｌ％）共重合体−塩酸塩／Ｍｗ２５，０００  ３ｗｔ％、シアン顔料としてＣ．Ｉ．Ｐｉｇｍｅｎｔ  Ｂｌｕｅ  １５：３  ３．５ｗｔ％を用いる以外は、ブラック顔料インクと同様にインクを調整した。
【００４９】
マゼンタ顔料インクとして、カチオンを含む樹脂として、４−ビニルピリジン（１０ｍｏｌ％）−スチレン（５０ｍｏｌ％）−アクリル酸ブチル（４０ｍｏｌ％）共重合体−塩酸塩／Ｍｗ２５，０００  １ｗｔ％、マゼンタ顔料としてＣ．Ｉ．Ｐｉｇｍｅｎｔ  Ｒｅｄ  １２２  ５ｗｔ％を用いる以外は、ブラック顔料インクと同様にインクを調整した。
【００５０】
イエロー顔料インクとして、カチオンを含む樹脂として、４−ビニルピリジン（１０ｍｏｌ％）−スチレン（５０ｍｏｌ％）−アクリル酸ブチル（４０ｍｏｌ％）共重合体−塩酸塩／Ｍｗ２５，０００  １．５ｗｔ％、イエロー顔料顔料としてＣ．Ｉ．Ｐｉｇｍｅｎｔ  Ｙｅｌｌｏｗ  ７４  ５ｗｔ％を用いる以外は、ブラック顔料インクと同様にインクを調整した。
【００５１】
（実施例１）
水溶性有機溶剤としてグリセリン  ９９ｗｔ％、酸性化合物としてグリコール酸  １ｗｔ％を混合して、塗布液を作成した。ウレタンフォームの発泡材に対して塗布量２００ｇ／ｍ２で均一に塗布した。インクジェット式記録装置として、ＥＭ−９３０Ｃ（商品名、セイコーエプソン株式会社製）の金属製プラテンの代わりに上記の含浸済みウレタンフォームを通紙とのギャップ２ｍｍの位置に装着して、Ａ４サイズ（２１０ｍｍ×２９７ｍｍ）の記録媒体に対して２３０ｍｍ×２９７ｍｍの画像データを送り、４０℃／２０％ＲＨ環境下において縁なし印刷を行った。
【００５２】
２０００枚連続印刷を行った状態で、以下の基準で判定をおこなった。
【００５３】
Ａ：インク堆積物が認められない、もしくはインク堆積物の高さが１ｍｍ以内である。
【００５４】
Ｂ：インク堆積物は認められるが、１ｍｍを超えて２ｍｍ未満であり通紙する紙の裏面に達していない。
【００５５】
Ｃ：インク堆積物が通紙する紙の裏面に達しており、紙裏面にインクが再転写される。
【００５６】
（実施例２〜６）
用いた含浸液を表１に変える以外は、実施例１と同様にプラテンを作成・装着して、評価を行った。
【００５７】
（比較例１）
実施例１に対して、ウレタンフォームの発泡材に塗布を行わない以外は同様な方法で、染料インクセットを用いて評価を行った。
【００５８】
（比較例２）
実施例１に対して、ウレタンフォームの発泡材に塗布を行わない以外は同様な方法で、顔料インクセットを用いて評価を行った。
【００５９】
含浸液、使用したしたインク種、および結果の一覧を表１にまとめて示す。
【００６０】
【表１】
2005014422.tif 000003
【００６１】
表１の縁なし印刷結果に示す様に本発明のインクジェット式印刷装置は、比較例１、２に比較して、高温・乾燥下での連続印刷後のインク堆積物がないもしくは少なく、記録媒体の裏面が汚れないインクジェット式記録装置を提供できた。
【００６２】
【発明の効果】
以上、説明したように、本発明によれば、カチオン性の着色剤を含む水性インクを用い、かつプラテンが少なくとも水溶性有機溶剤と水中で酸性に解離する酸性化合物とを含浸させたするインク吸収材からなることにより、記録媒体の縁の外側に印刷された水性インクを、乾燥が進んで増粘する前に素早く吸収剤内部に染み込ませるできる。さらに、水溶性有機溶剤と酸性化合物が沸点が１５０℃以上および／または２５℃で固体の化合物から選ばれることで、印刷装置の使用環境下で実質的に蒸散せず、よって、特に夏季等で室温が上昇した使用環境下で、間欠的な印刷を行っても、着色剤の析出を抑制してプラテンに十分に染み込ませることができる。その結果として、プラテンの表面に水性インクの乾燥物が堆積物になることを阻止できるので、後続の記録媒体が堆積物に接触することを防いで記録媒体が汚れてしまうことを防止できる。
【図面の簡単な説明】
【図１】本発明に係るインクジェット式記録装置を示す概略図である。
【図２】本発明に係るインクジェット記録方法を示す説明図である。
【図３】本発明に係るインクジェット記録方法を示す説明図である。
【図４】本発明に係るインクジェット記録方法を示す説明図である。
【図５】従来のインクジェット記録方法を示す説明図である。
【図６】従来のインクジェット記録方法を示す説明図である。
【図７】従来のインクジェット記録方法を示す説明図である。
【図８】従来のインクジェット記録方法を示す説明図である。
【符号の説明】
１０  インクジェット式記録装置
１１  記録ヘッド
１２  ガイド軸
１３  記録用紙（記録媒体）
１４  水性インク
１５  プラテン
【図１】
2005014422.tif 000004
【図２】
2005014422.tif 000005
【図３】
2005014422.tif 000006
【図４】
2005014422.tif 000007
【図５】
2005014422.tif 000008
【図６】
2005014422.tif 000009
【図７】
2005014422.tif 000010
【図８】
2005014422.tif 000011